(57)【要約】      （修正有）【課題】音の振動を乳幼児の顎を通り、乳幼児の耳に直接伝えることができるミュージックおしゃぶりを提供する。【解決手段】ミュージックおしゃぶりは、おしゃぶりフレーム１０１と、前記フレームの側面に位置する乳首１０２と、前記フレームのもう一つの側面に位置する収容部１０７を含む。収容部内に、音楽ＩＣ及び電源、絶縁ハウス１０９、及び振動トランスデューサー１１０を有する。軟質材料でできている絶縁ハウスは、振動を絶縁するために用いる。振動トランスデューサーは、事前に格納された音楽を振動へ変換するために用いる。振動トランスデューサーは、前記ハウス内に位置する。振動トランスデューサーは、上記音楽ＩＣと接続する。振動タング１１１は、前記振動トランスデューサーによって生じた振動を乳幼児の顎に伝えるために用いられる。振動タングは、上記ハウス内の前記振動トランスデューサーの接触部分、および前記ハウスから突き出し且つ前記乳首内に延びるタングを含む。【選択図】図１
0003169145.tif 000002
【実用新案登録請求の範囲】
【請求項１】
ミュージックおしゃぶりであって、
おしゃぶりフレームと、前記おしゃぶりフレームの側面に位置する乳首を含み、
前記おしゃぶりフレームの他方の側面に位置する収容部があり、前記収容部は、前記おしゃぶりフレームから取り外し可能であり、前記収容部の中に
音楽IC及び電源と、
振動の絶縁に用いられるハウスがあり、前記ハウスは、軟質材料でできており、前記ハウスと前記音楽IC 及び電源の間に隙間があり、
事前に格納された音楽を振動に変換するために振動トランスデューサーが用いられ、前記振動トランスデューサーは、前記ハウス内に位置し、前記音楽ICに接続され、
前記振動トランスデューサーによって、生じた振動を乳幼児の顎に伝えるために振動タングが用いられ、前記振動タングは、前記ハウスに位置する接触部分を含み、且つ前記振動トランスデューサーに接触し、
前記乳首の空洞内に前記ハウスから突き出しているタングがある、ミュージックおしゃぶり。
【請求項２】
請求項1に記載のミュージックおしゃぶりであって、
前記振動タングは、T字型の断面を有し、前部の前記タングと後部の前記接触部分とを含む、ミュージックおしゃぶり。
【請求項３】
請求項2に記載のミュージックおしゃぶりであって、
前記振動トランスデューサーは、弧振動面を有し、前記振動タングの前記接触部分は、前記弧振動面に接触する、ミュージックおしゃぶり。
【請求項４】
請求項1に記載のミュージックおしゃぶりであって、
前記おしゃぶりフレームの前記他方の側面にロッキングアイがあり、前記収容部にロッキングタブがあり、前記ロッキングタブ及び前記ロッキングアイは、互いに合わさっている、ミュージックおしゃぶり。
【請求項５】
請求項4に記載のミュージックおしゃぶりであって、
前記収容部の前記ロッキングタブ内に第一貫通孔があり、前記ハウスに突出があり、前記突出は、前記第一貫通孔から延び、前記振動タングは、前記突出から突き出し前記乳首内に延びる、ミュージックおしゃぶり。
【請求項６】
請求項1に記載のミュージックおしゃぶりであって、
前記ハウスは、ゴムまたはシリカゲルでできている、ミュージックおしゃぶり。
【請求項７】
請求項1に記載のミュージックおしゃぶりであって、
前記おしゃぶりフレームは、硬質プラスチックでできている、ミュージックおしゃぶり。
【請求項８】
請求項1に記載のミュージックおしゃぶりであって、
前記ミュージックおしゃぶりは、前記音楽ICと接続するスイッチボタンを含み、前記スイッチボタンは、前記収容部から突出する、ミュージックおしゃぶり。
【請求項９】
請求項1に記載のミュージックおしゃぶりであって、
前記ミュージックおしゃぶりは、前記音楽IC及び電源と接続する充電プラグを含む、ミュージックおしゃぶり。
【考案の詳細な説明】
【技術分野】
【０００１】
本実用新案は、おしゃぶりに関し、特に一種のミュージックおしゃぶりに関する。
【背景技術】
【０００２】
乳幼児は、注意を引くものに喜ぶ。おしゃぶりは、乳幼児の唇に触れる、従って、とても分かりやすい遊びになる。多くの場合、音と音楽は、乳幼児の注意を引きつける。しかし、周囲が静かな場合（例えば、教会、航空機、レストラン）、音や音楽が鳴るおもちゃは、不適切である。イヤホーンは、他人の邪魔にならないような音楽環境を個人に提供できるが、乳幼児の耳は、イヤホーンを使用するためには小さすぎる。また、イヤホーンの長時間の使用は、聴覚を悪くする。
【考案の概要】
【課題を解決するための手段】
【０００３】
現在の技術では、おしゃぶりは、通常、物理的接触を提供するのみである。他の音が鳴るおもちゃは、静かな場所に対して制限がある。本実用新案よって提供される解決策は、本ミュージックおしゃぶりが、音の振動を乳幼児の顎を通り乳幼児の耳に直接伝えることができることである。他の人々は音を聞くことができない。
【０００４】
本実用新案によって採用された技術的解決策は、ミュージックおしゃぶりを作り上げることであって、おしゃぶりフレームと、このおしゃぶりフレームの側面に位置する乳首を含む。上記おしゃぶりフレームの他方の側面に位置する収容部は、上記おしゃぶりから取り外すことができる。
上記収容部は、
音楽IC及び電源と、
振動を絶縁するために用いられるハウスを有する。上記ハウスは、軟質材料でできており、上記ハウスと上記音楽IC及び電源の間に隙間がある。
振動トランスデューサーは、事前に格納された音楽を振動に変換するために用いられ、上記振動トランスデューサーは、上記ハウス内に位置し、上記音楽ICと接続する。
振動タングは、上記振動トランスデューサーによって生じた振動を乳幼児の顎に伝えるために用いられ、上記振動タングは、接触部分を含み、上記ハウスに位置し、上記振動トランスデューサーに接触し、上記乳首の空洞内に上記ハウスから突き出している。
【０００５】
本実用新案の上記ミュージックおしゃぶりでは、上記振動タングは、T字型の断面を有し、前部の上記タングと後部の上記接触部分を含む。
【０００６】
本実用新案の上記ミュージックおしゃぶりでは、上記振動トランスデューサーは、弧振動面を有する。上記振動タングの接触部分は、弧振動面と接触する。 
【０００７】
本実用新案の上記ミュージックおしゃぶりにおけるロッキングアイは、上記おしゃぶりフレームの側面に位置し、ロッキングタブは、上記収容部に位置する。上記ロッキングタブ、及び上記ロッキングアイは、互いに合わさっている。
【０００８】
本実用新案の上記ミュージックおしゃぶりでは、第一貫通孔は、上記収容部のロッキングタブ内に位置する。上記ハウスに突出があり、上記突出は、上記第一貫通孔から突出する。上記振動タングは、上記突出から突出し、上記乳首内に延びる。 
【０００９】
本実用新案の上記ミュージックおしゃぶりでは、上記ハウスは、ゴムまたはシリカゲルでできている。
【００１０】
本実用新案の上記ミュージックおしゃぶりでは、上記おしゃぶりフレームは、硬質プラスチックでできている。
【００１１】
本実用新案の上記ミュージックおしゃぶりでは、上記ミュージックおしゃぶりは、スイッチボタンを含む。スイッチボタンは、上記音楽ICと接続し、上記スイッチは、上記収容部から突出している。
【００１２】
本実用新案の上記ミュージックおしゃぶりでは、上記ミュージックおしゃぶりは、上記音楽IC及び電源と接続する充電プラグを含む。
【００１３】
本実用新案におけるミュージックおしゃぶりは、以下の有益な結果を有する。乳幼児が乳首をしゃぶるときに、歯又は顎がおしゃぶり乳首を介して振動タングに触れる。事前に格納された音楽は、振動を介して乳幼児の顎内に伝わり、音楽を聞けるようにさらに内耳へ伝わる。上記ハウスは、軟質材料でできているので、振動は、絶縁される。これは、音がおしゃぶりの他の部分の共鳴によって、外へ伝わるのを防ぐ。周囲の人々は音を聞くことができない。その結果、ミュージックおしゃぶりは、静寂を必要とする場所に適している。
【図面の簡単な説明】
【００１４】
本実用新案は、さらに添付図面と実施例を用いて示される。添付図面のうちで、
図1は、本実用新案のミュージックおしゃぶりの断面図である。
図2は、本実用新案のミュージックおしゃぶりの振動モジュールの断面図である。
図3は、本実用新案の振動タングの断面図である。
【考案を実施するための形態】
【００１５】
図1及び図2のように、本実用新案のミュージックおしゃぶり100は、硬質プラスチックでできているおしゃぶりフレーム101と、おしゃぶりフレーム101の第一側面に位置するシリカゲル乳首102と、おしゃぶりフレーム101の第二側面に位置する振動モジュールとを含む。穴103は、おしゃぶりフレーム101に位置する。シリカゲル乳首102の後部は、穴103を通過し、その後部にある突出104を通じて、おしゃぶりフレーム101の第二側面に接触し且つここに位置する。
【００１６】
振動モジュールは、おしゃぶりフレーム101の第二側面に位置し、おしゃぶりフレーム101と接続する収容部を含む。ロッキングアイは、おしゃぶりフレーム101の第二側面に位置し、ロッキングタブは、収容部107上に位置する。ロッキングタブとロッキングアイは、互いに合わさり、取り外し可能になっている。乳首102をきれいにしなければいけない場合は、おしゃぶりフレーム101から収容部105を取り外すことによって行うことができる。これによって、収容部内の電子回路のショートやダメージを回避することができる。
【００１７】
第一貫通孔は、収容部106のロッキングタブ107内に位置する。音楽IC及び電源108と、及び振動を遮断するために用いられるハウス109は、収容部106内に位置している。振動トランスデューサー110及びプラスチック振動タング111は、ハウス109内に位置する。ハウス109は、ゴム、シリカゲルなどのような軟質材料でできている。ハウスは、振動トランスデューサー110及び振動タング111の周りを覆っており、これらが収容部内で宙に浮くように構成している。これは、この二つの部品の振動を緩和して、振動が収容部106及びおしゃぶりフレーム101に伝われないようにし、これによって、共鳴及び音の発生を防ぐためである。
【００１８】
図のように、ハウス109と音楽IC及び電源108との間に隙間があり、互いは接触していない。ハウス109は、突出112を有し、収容部のロッキングタブ106内の第一貫通孔から突出する。第二貫通孔は、ハウス109の突出112に位置する。振動トランスデューサー110は、収容部105内に位置し、音楽IC及び電源108と電気的に接続し、事前に格納した音楽を振動に変換する。図3は、振動タング111が"T"字型の断面を有し、前部にタング113、後部に接触部分を含むことを示す。接触部分114は、振動トランスデューサー110の弧振動面と接触する。振動トランスデューサー110が振動するとき、振動タング111に振動を伝える。振動タング111の前部のタング113は、木摺のような薄片である。タング113は、ハウス109の突出112から突き出し、シリカゲル乳首102内に延びる。
【００１９】
ミュージックおしゃぶり100は、スイッチボタン115と、音楽IC及び電源108に接続する充電プラグ116を含む。スイッチボタン115は、収容部105から延びる。スイッチボタン115を押したときに音楽ICの電源が入り、音楽が演奏され、振動タング111が振動する。スイッチボタン115をもう一度押したときに、音楽が止まる。演奏する音楽、順番及び継続時間は、音楽ICに格納されているプログラムに従って決定可能である。ミュージックおしゃぶりは、充電プラグ116を介して、音楽IC及び電源108を外部電源に接続することによって再充電できる。
【００２０】
乳幼児が乳首102をしゃぶるとき、歯または顎が、乳首を介して振動タングに接触し、事前に格納された音楽は、振動によって、乳幼児の顎に伝えられ、それから、彼/彼女の内耳に伝えられる。従って、音楽を聞くことができるようになる。ハウスは軟質材料でできているので、振動は、絶縁される。これは、おしゃぶりの他の部分の共鳴によって、音が外へ伝わるのを防ぐ。周囲の人々は音を聞くことができない。その結果、ミュージックおしゃぶりは静寂を必要とする場所に適している。
【図１】
0003169145.tif 000003
【図２】
0003169145.tif 000004
【図３】
0003169145.tif 000005